【手続補正書】
【提出日】平成18年4月19日(2006.4.19)
【手続補正１】
【補正対象書類名】明細書
【補正対象項目名】全文
【補正方法】変更
【補正の内容】
【書類名】  明細書
【発明の名称】  コンロ
【特許請求の範囲】
【請求項１】天板と、この天板に設けたバーナ開口部と、前記バーナ開口部内に設けられ、上端部が天板上面から突出しないように設定したバーナと、被加熱物を載置する載置部と、前記天板に設けた挿通口を介して前記載置部を上下方向に変位駆動させる駆動体とを具備したコンロ。
【請求項２】載置部は、バーナ上部にあって放射状に複数の爪体を一体構成した載置体と、前記天板内部にあって前記載置体を着脱自在に載置する載置台とからなり、この載置台に駆動体を連接させた請求項１記載のコンロ。
【請求項３】天板と、この天板に設けたバーナ開口部と、前記バーナ開口部内に設けられ、上端部が天板上面から突出しないように設定したバーナと、前記バーナの近傍に設けた燃焼検知手段と、前記バーナに燃料を供給する燃料供給部と、被加熱物を載置する載置部と、前記載置部に連接した位置検出手段と、前記天板に設けた挿通口を介して前記載置部を上下方向に変位駆動させる駆動体とを具備し、前記燃焼検知手段と前記位置検出手段と前記燃料供給部と前記駆動体とを連動させたコンロ。
【請求項４】バーナが燃焼時は、載置部を天板上に突出させるべく駆動体を制御した請求項３に記載のコンロ。
【請求項５】載置部が天板上面以下に収納状態にある場合は、燃料を供給しないか、または一定時間後に燃料の供給を停止するよう制御した請求項３に記載のコンロ。
【請求項６】駆動体としてカムを用いた請求項１〜５いずれか１項に記載のコンロ。
【請求項７】駆動体として熱変形体を用いた請求項１〜５いずれか１項に記載のコンロ。
【発明の詳細な説明】
【０００１】
【発明の属する技術分野】
本発明は、ガス等を燃料とするコンロに関するものである。
【０００２】
【従来の技術】
従来のコンロは、特開平７−３５３５３号公報に記載されているようなものがあった。このコンロは図６に示されているように、バーナ部１の外周に五徳２と一体となった円筒ネジ状の載置部３を天板４の開口部に配置し、載置部３をモータ５に連動したネジ６に連
接させ、ネジ６の回転によって載置部３及び五徳２を上下動させるという昇降手段を設けたものであり、バーナ部１と被加熱物との距離を可変することにより、同じ火力でも実質的な弱火力を得るというものであった。
【０００３】
また他の従来のコンロの載置部は、実開昭６３−１４７６１７号公報に記載されているようなものがあった。この載置部は、図７に示されているように、五徳枠７の複数の切り欠き８に、同数の爪体９を着脱自在に設け、載置部を掃除しやすくしたたというものであった。
【０００４】
【発明が解決しようとする課題】
しかしながら上記従来のコンロは、あくまで実質火力の可変幅を拡大する目的であるため、バーナ部１を使用しない時は、通常と同様に五徳２が天板４から上に突出した状態であった。したがって天板４上に置いた被加熱物は持ち上げて五徳２上に載置しなければならず、また調理後の被加熱物を五徳２から移動する際にも同様に持ち上げる動作が必要であった。このため、高齢者に対する配慮の点で不十分であるという課題があった。また、天板４を拭き掃除する場合は、五徳２に当たってスムーズな動作ができないという課題もあった。
【０００５】
一方、他の従来の五徳では、爪体９を着脱することによって掃除をしやすくする構成であるため、使用者がその都度爪体９の着脱動作を行わなければならない
ことで煩雑感があり、また多数回の着脱操作により爪体９と五徳枠７との嵌合状態が不十分になるという課題があった。
【０００６】
本発明は上記従来の課題を解決するもので、バーナを使用しない時は、被加熱物の載置部に触れることなく同載置部を天板内に収納し、天板上の突出部をなくして被加熱物の移動を楽にすると共に、天板の掃除もスムーズに行えるような加齢配慮型のコンロを提供することを課題とする。
【０００７】
【課題を解決するための手段】
本発明は上記の課題を解決するために、天板に設けたバーナ開口部と、バーナ開口部内に設けられ、上端部が天板上面から突出しないように設定したバーナと、被加熱物を載置する載置部と、前記天板に設けた挿通口を介して前記載置部を上下方向に変位駆動させる駆動体とを具備したものである。
【０００８】
上記発明によれば、例えばバーナの燃焼時は通常のコンロと同様に載置部が天板上に突出した状態であるが、バーナの不使用時は駆動体が作動して、載置部に手を触れることなく同載置部を天板上面内に収納できるため、天板上に突出部が存在せず、その結果鍋ずらしといった被加熱物の移動を楽にできると共に、天板の拭き掃除もスムーズに行える。このように、バーナの使用時と不使用時で載置部の状態を容易に使い分けでき、使用者特に高齢者にとって使い勝手の良い加齢配慮型のコンロを提供することができる。
【０００９】
【発明の実施の形態】
上記の課題を解決するために本発明は、天板と、この天板に設けたバーナ開口部と、前記バーナ開口部内に設けられ、上端部が天板上面から突出しないように設定したバーナと、被加熱物を載置する載置部と、前記天板に設けた挿通口を介して前記載置部を上下方向に変位駆動させる駆動体とを具備したものである。
【００１０】
この構成により、バーナ部の使用時と不使用時で載置部の状態を容易に使い分けでき、不使用時は被加熱物の移動を楽にできると共に、天板の拭き掃除もスムーズに行える。
【００１１】
載置部は、バーナ上部にあって放射状に複数の爪体を一体構成した載置体と、前記天板内部にあって前記載置体を着脱自在に載置する載置台とからなり、この載置台に駆動体を連接させたもので、載置体のみの洗浄が容易で、かつコンロへの装着も容易にできる。
【００１２】
また、天板と、この天板に設けたバーナ開口部と、前記バーナ開口部内に設けられ、上端部が天板上面から突出しないように設定したバーナと、前記バーナの近傍に設けた燃焼検知手段と、前記バーナに燃料を供給する燃料供給部と、被加熱物を載置する載置部と、前記載置部に連接した位置検出手段と、前記天板に設けた挿通口を介して前記載置部を上下方向に変位駆動させる駆動体とを具備し、前記燃焼検知手段と前記位置検出手段と前記燃料供給部と前記駆動体とを連動させた。
【００１３】
具体的には、バーナが燃焼時は載置部を天板上に突出させるか、載置部が天板上面以下に収納状態にある場合は、燃料供給を停止するか、或いは一定時間後に燃料供給を停止するようようにしておく。
【００１４】
駆動体としては、カムとか、火炎の熱に応動する熱変形体を用いるものが考えられる。
【００１５】
【実施例】
以下、本発明の実施例について図１から図５を参照して説明する。
【００１６】
（実施例１）
実施例１の発明を図１（ａ）（ｂ）を参照して説明する。
【００１７】
図１（ａ）において、天板１０のバーナ開口部１１には、汁受け皿１２の中央の開口を通して略円錐台形状のバーナキャップ１３に多数のスリット炎口１４を設けたバーナ１５があり、また、天板１０内にはガイドピン１６を設けた載置台１７があり、複数の爪体１８を天板１０の挿通口１９を介して載置台１７に一体に設けて載置部２０を構成している。さらに、載置台１７の直下には回転を上下運動に変換するカム２１からなる駆動体２２があり、ガイドピン１６はバーナ１５の下方の本体ケース２３のガイド穴に挿通している。
【００１８】
上記の構成において、載置部２０特に爪体１８が天板１０より上方に突出した状態でバーナ１５に点火されると、発生した火炎が鍋などの被加熱物を調理し、従来のコンロと同様の使用状態を現出する。一方、調理を終了しバーナ１５の火炎を消火した後、図１（ｂ）に示すように駆動体２２であるカム２１を回転し、載置部２０を天板１０の上面以下の高さまで下げることによって、天板１０の上面には突出部を無くすことができ、鍋ずらしや天板１０周辺の掃除が容易に行える。
【００１９】
また、載置部２０の位置を変化させることは、鍋などが載置されていても可能である。したがって、高齢者などが使用する場合の鍋の上げ下ろし、掃除などの労働負荷を低減でき、加齢配慮型のコンロを提供することができる。
【００２０】
（実施例２）
実施例２の発明を図２（ａ）、（ｂ）及び図３（ａ）、（ｂ）を参照して説明する。
【００２１】
図において実施例１と異なる点は、バーナ１５のスリット炎口１３の近傍に熱電対からなる燃焼検知手段３０を設け、載置部２０のガイドピン１６にマイクロスイッチからなる載置部２０の位置検出手段３１を設け、バーナ１５に連通する燃料開閉弁からなる燃料供給部３２を設け、燃焼検知手段３０と位置検出手段３１と燃料供給部３２と駆動体２２を制御回路３３を介して相互に連動させたところである。
【００２２】
なお、実施例１と同一符号のものは同一構造を有し、説明は省略する。
【００２３】
上記の構成によれば、図２（ａ）に示すように、載置部２０が天板１０より上方に突出している場合、位置検出手段３０によって載置部２０が燃焼可能な位置にあることが確認され、点火操作を行うと燃料供給部３２が開きバーナ１５に火炎が形成される。さらに、燃焼検知手段３０が火炎を検知することによって、燃料供給部３２が開状態を保ち燃焼が保持される。
【００２４】
したがって載置部２０が突出状態にあることによって被加熱物の調理ができる。また、調理が終了しバーナ１５での燃焼を停止した時は、図２（ｂ）に示すように駆動体２２を作動させて天板１０の上面以下に載置部２０を下げることができ、この時、同様に鍋ずらしや天板１０周辺の掃除が容易に行える。一方、載置部２０が天板１０の上面以下に収納されている状態で点火操作を行うと、図３（ａ）に示すように位置検出手段３１が載置部２０の位置によって天板１０と同面（下）であると判断し、駆動体２２が作動してカムが回転し載置部２０が上昇する。
【００２５】
さらに、位置検出手段３１によって載置部２０が天板１０より突出状態（上）
であることが確認され、初めて燃料供給部３２が開いてバーナ１５に火炎が形成される。この後、燃焼検知手段３０が火炎の熱を検知し、燃焼状態であることを確認し、燃料供給部３２の開状態が維持され、燃焼が継続する。もし、何らかの原因でバーナ１５での火炎が消滅した時は、燃焼検知手段３０が失火状態と判断して燃料供給部３２を閉じて、燃料漏れを防止できる。
【００２６】
また、図３（ｂ）に示すように、載置部２０を手動操作によって作動させる場合などでは、載置部２０が天板１０と同面の位置にあった時に点火操作を行った時は、同様に位置検出手段３１が載置部２０の位置を下と判断し、燃料供給部３２を閉状態に保持する。したがって、駆動体２２を作動させて載置部２０を突出させない限り、バーナ１５に火炎を形成することはない。
【００２７】
同様に、バーナ１５で燃焼中に載置部２０を下げた場合でも、位置検出手段によって下であると判断され、同時に燃料供給部３２が閉になり、火炎は消火される。以上のように、載置部２０が天板１０と同面位置のままでバーナ１５での燃焼状態が継続することがないため、天板１０内の構造物を熱損傷させることがない。
【００２８】
（実施例３）
実施例３の発明を図４（ａ）、（ｂ）を参照して説明する。
【００２９】
図において実施例２と異なる点は、バーナキャップ１３の直上部に配置した円形枠体４１に複数の爪体４２を放射状に固定した載置体４３と、載置台４４とで載置部４５を形成し、載置体４３を天板１０の挿通口４６を通じて載置台４４から着脱自在としたところである。
【００３０】
なお、実施例２と同一符号のものは同一構造を有し説明は省略する。
【００３１】
上記の構成によれば、同様に載置部４５が天板１０と同面にある時は、鍋ずら
しや天板１０周辺の掃除が容易に行えると同時に、載置体４３のみの洗浄が容易で、かつ装着も挿通口４６を通じて載置台４４に載せるだけなので容易にできる。また、円形枠体４１がバーナキャップ１３を包含する構成のため、天板１０の掃除などの際にバーナキャップ１３内にゴミなどが入ることを防止できる。
【００３２】
（実施例４）
実施例４の発明を図５（ａ）、（ｂ）を参照して説明する。
【００３３】
図において実施例１と異なる点は、駆動体５０として形状記憶合金またはバイメタルからなる熱変形材料を汁受け皿１２の側面部に接触させたところである。
【００３４】
なお実施例１と同一符号のものは同一構造を有し説明は省略する。
【００３５】
図において、載置部２０が天板１０と同面の位置にある時は、バーナ１５に点火されると、その燃焼熱を受けて汁受け皿１２が温度上昇し、さらに汁受け皿に接触している駆動体５０に熱伝導する。駆動体５０は前述のような熱変形材料で構成されているので、ある一定の温度以上になると一定の変形状態となり、その変形力によって、載置部２０を天板１０からの突出状態を形成できる。
【００３６】
したがって点火操作によって、載置部２０を突出状態にすることができ、手動操作で載置部２０を突出状態にする必要はない。また、バーナ１５での燃焼が終了して、汁受け皿１２の温度が低下するにしたがって駆動体５０の温度も低下し、載置部２０を天板１０と同面位置にすることが可能である。
【００３７】
上記各実施例からの技術的意義をまとめれば以下の通りである。
【００３８】
（１）被加熱物の載置部を天板上面以下に収納可能とするように、天板に載置部の挿通口を設け、かつ載置部に駆動体を連接させたことにより、バーナの使用時と不使用時で載置部の状態を容易に使い分けでき、不使用時は被加熱物の移動を楽にできると共に、天板の拭き掃除もスムーズに行える。
【００３９】
（２）載置部を、バーナ上部にあって放射状に複数の爪体を一体構成した載置体と、天板内部にあって載置体を着脱自在に載置する載置台とで一体構成し、載置体を前記天板上面以下に収納可能とするように、天板に載置体の挿通口を設け、かつ載置台に駆動体を連接させたことにより、載置体のみの洗浄が容易で、かつコンロへの装着も容易にできる。
【００４０】
（３）バーナ近傍の燃焼検知手段と、燃料供給部と、載置部に連接した位置検出手段と、載置部に連接した駆動体とからなり、載置体を天板上面以下に収納可能とするように天板に載置部の挿通口を設け、かつ燃焼検知手段と位置検出手段と燃料供給部と駆動体とを連動させたことにより、載置部の位置関係によりバーナの燃焼状態を制御するか、バーナの燃焼の有無によって駆動体を制御できるため、天板内の熱損傷を防止することができる。
【００４１】
（４）バーナが燃焼時は、載置部を天板上に突出させるべく駆動部を制御したことにより、バーナに火炎が形成されると、燃焼検知手段が火炎を検知し、必ず駆動体が載置部を天板上に突出させるため、天板内の熱損傷を防止できる。
【００４２】
（５）載置部が天板上面以下に収納状態にある場合は、燃料を供給しないか、または一定時間後に燃料の供給を停止するよう制御したことにより、同様に天板内の熱損傷を防止することができる。
【００４３】
（６）駆動体としてカムを用いた構成により、カムの回転を短時間で載置部の直接上下運動に変換できる。
【００４４】
（７）駆動体として熱変形体を用いた構成により、バーナに火炎が形成されると、火炎から熱変形体への熱伝達による変位が載置部の変位となり、燃焼熱そのものを駆動力にすることができる。
【００４５】
【発明の効果】
以上説明したように本発明のコンロによれば、バーナの使用時と不使用時で載置部の状態を容易に使い分けでき、不使用時は被加熱物の移動を楽にできると共に、天板の拭き掃除もスムーズに行えるなど、大いにその使い勝手を向上できるものである。
【図面の簡単な説明】
【図１】
（ａ）本発明の実施例１のコンロの載置部の突出状態を示す局部断面図
（ｂ）同コンロの載置部の天板内の収納状態を示す局部断面図
【図２】
（ａ）本発明の実施例２のコンロの載置部の突出状態を示す局部断面図
（ｂ）同コンロの載置部の天板内の収納状態を示す局部断面図
【図３】
（ａ）同コンロの載置部、駆動体及びバーナの制御フローチャート
（ｂ）同コンロの載置部、駆動体及びバーナの他の制御フローチャート
【図４】
（ａ）本発明の実施例３のコンロの載置部の突出状態を示す局部断面図
（ｂ）同コンロの載置部の天板内の収納状態を示す局部断面図
【図５】
（ａ）本発明の実施例４のコンロの載置部の突出状態を示す局部断面図
（ｂ）同コンロの載置部の天板内の収納状態を示す局部断面図
【図６】
従来のコンロの要部断面図
【図７】
従来の他のコンロの載置部の斜視図
【符号の説明】
１０  天板
１１  バーナ開口部
１５  バーナ
１７  載置台
１８、４２  爪体
１９、４６  挿通口
２０、４５  載置部
２２、５０  駆動体
３０  燃焼検知手段
３１  位置検出手段
３２  燃料供給部
４３  載置体